(57)【要約】【課題】版に塗布した感光剤の乾燥条件を制御することにより、版の仕上がりを一定に保つことができる乾燥機を提供する。【解決手段】版６０に塗布した感光剤の乾燥機１０であって、感光剤を塗布した版６０を配置する乾燥室２０と、乾燥室２０の温度を検出する温度検出手段３０と、乾燥室２０の湿度を検出する湿度検出手段４０と、温度検出手段３０の出力値及び湿度検出手段４０の出力値に基づいて、乾燥室２０に配置された版６０に塗布した感光剤の乾燥時間を演算し、乾燥時間を管理する制御演算部５０とを備える。【選択図】図１
2007255823.tif 000002
【特許請求の範囲】
【請求項１】
版に塗布した感光剤の乾燥機であって、
前記感光剤を塗布した前記版を配置する乾燥室と、
前記乾燥室の温度を検出する温度検出手段と、
前記乾燥室の湿度を検出する湿度検出手段と、
前記温度検出手段の出力値及び前記湿度検出手段の出力値に基づいて、前記乾燥室に配置された前記版に塗布した前記感光剤の乾燥時間を演算し、乾燥時間を管理する制御演算部と、
を備える乾燥機。
【請求項２】
請求項１に記載の乾燥機において、
前記制御演算部は、予め測定した前記版に塗布された前記感光剤の乾燥時間と温度及び湿度との関係の近似式により、前記乾燥時間を演算すること、
を特徴とする乾燥機。
【請求項３】
請求項２に記載の乾燥機において、
前記制御演算部は、前記近似式を複数保存する記憶部を備えること、
を特徴とする乾燥機。
【発明の詳細な説明】
【技術分野】
【０００１】
本発明は、版に塗布した感光剤の乾燥に用いられる乾燥機に関するものである。
【背景技術】
【０００２】
グラビア印刷向けの製版工程における版に塗布された感光剤は、外気が導入される乾燥槽内において、環境温湿度や感光剤の塗布量に関係なく一定時間放置して乾燥させている。乾燥槽内の環境温湿度は、感光剤の乾燥毎に変化するので、感光剤の乾燥状態がその都度異なり、版の仕上がりが一定でなくなる問題がある。特に湿度が高い場合には、感光剤の乾燥不良を起こすこともある。
そのため、乾燥槽内の内容物の重量及び湿度を測定し、乾燥時間を調節する乾燥装置などが提案されている（例えば、特許文献１）。しかし、特許文献１の乾燥装置は、重量の測定において、内容物の重量が、内容物に塗布された乾燥対象物の重量に比べて非常に大きい場合には、正確に乾燥対象物の重量が測定できないなどの問題があり、乾燥時間の調節の精度を悪化させる可能性がある。
【特許文献１】特開２００４−２６７７８２号公報
【発明の開示】
【発明が解決しようとする課題】
【０００３】
本発明の課題は、版に塗布した感光剤の乾燥条件を制御することにより、版の仕上がりを一定に保つことができる乾燥機を提供することである。
【課題を解決するための手段】
【０００４】
本発明は、以下のような解決手段により、前記課題を解決する。なお、理解を容易にするために、本発明の実施形態に対応する符号を括弧内に付して説明するが、これに限定されるものではない。
請求項１の発明は、版（６０）に塗布した感光剤の乾燥機（１０）であって、前記感光剤を塗布した前記版（６０）を配置する乾燥室（２０）と、前記乾燥室（２０）の温度を検出する温度検出手段（３０）と、前記乾燥室（２０）の湿度を検出する湿度検出手段（４０）と、前記温度検出手段（３０）の出力値及び前記湿度検出手段（４０）の出力値に基づいて、前記乾燥室（２０）に配置された前記版（６０）に塗布した前記感光剤の乾燥時間を演算し、乾燥時間を管理する制御演算部（５０）とを備える乾燥機（１０）である。
【０００５】
請求項２の発明は、請求項１に記載の乾燥機（１０）において、前記制御演算部（５０）は、予め測定した前記版に塗布された前記感光剤の乾燥時間と温度及び湿度との関係の近似式により、前記乾燥時間を演算することを特徴とする乾燥機（１０）である。
【０００６】
請求項３の発明は、請求項２に記載の乾燥機（１０）において、前記制御演算部（５０）は、前記近似式を複数保存する記憶部（５２）を備えることを特徴とする乾燥機（１０）である。
【発明の効果】
【０００７】
以上説明したように、本発明によれば、以下のような効果がある。
（１）乾燥機は、温度検出手段及び湿度検出手段の出力値に基づいて、制御演算部により乾燥時間を演算しているので、感光剤を塗布した版の仕上がりを均一に保つことができる。
（２）制御演算部は、予め測定した版に塗布された感光剤の乾燥時間と乾燥室の温度及び湿度との関係の近似式により、乾燥時間を演算しているので、精度の高い乾燥時間を求めることができる。
（３）制御演算部は、記憶部を備えているので、複数の近似式のデータを保存することができ、感光剤の種類と温度検出手段及び湿度検出手段の出力値とに基づいて適切な近似式を選択し、使用することができる。
【発明を実施するための最良の形態】
【０００８】
本発明は、版に塗布した感光剤の乾燥条件を制御することにより、版の仕上がりを一定に保つことができる乾燥機を提供するという目的を、乾燥室内の温度及び湿度の測定をし、その測定値に基づいて乾燥時間を演算させることにより実現する。
【実施例１】
【０００９】
以下、図面等を参照して、本発明の実施例をあげて、さらに詳しく説明する。
図１は、本発明による実施例１の乾燥機を示す模式図である。
【００１０】
乾燥機１０は、図１に示すように、乾燥室２０、温度センサ３０、湿度センサ４０及び制御器５０を備えている。
乾燥室２０は、その内部が一定の温度、湿度に保たれた乾燥用の部屋である。
温度センサ３０は、乾燥室２０内に設置され、測定した温度を制御器５０へ出力するセンサである。
湿度センサ４０は、乾燥室２０内に設置され、測定した湿度を制御器５０へ出力するセンサである。
【００１１】
制御器５０は、演算部５１、記憶部５２、操作部５３及び表示部５４を備えている。
演算部５１は、温度センサ３０及び湿度センサ４０の測定値に基づいて、記憶部５２に保存されている近似式により、適正な乾燥時間を演算し、乾燥機１０の乾燥時間を管理する制御回路である。
記憶部５２は、予め測定した感光剤の種類毎の乾燥時間と温度及び湿度との関係の近似式を複数保存したメモリである。
操作部５３は、乾燥開始及び終了などの作業者の指令を演算部５１に入力する複数の操作用ボタンである。
表示部５４は、演算部５１で演算した乾燥時間、乾燥室２０内の温度及び湿度などの情報を表示する液晶モニタである。
版６０は、表面に感光剤を塗布し、グラビア印刷などに用いられる印刷版である。感光剤は、例えば、卵白感光剤やグルー感光剤などが用いられる。
【００１２】
続いて、実施例１の乾燥機１０の演算部５１の動作について説明する。図２は、実施例１の乾燥機の演算部の動作のフローチャートである。
制御器５０の電源（図示せず）が作業者により投入されたら（Ｓ１０１）、演算部５１は、図２に示すように、乾燥室２０内に感光剤を塗布した版６０の有無をセンサ（図示せず）により確認し（Ｓ１０２）、版６０が配置されていない場合は、その旨を表示部５４に表示する。版６０が配置されている場合は、表示部５４に乾燥時間の演算の指示待ちを表示する（Ｓ１０３）。
【００１３】
操作部５３から演算開始の指示が入力されたら、演算部５１は、まず、版６０に塗布した感光剤の種類の一覧を表示部５４に表示し、作業者に選択させる（Ｓ１０４）。適切な感光剤が選択されたら、温度センサ３０及び湿度センサ４０が乾燥室２０内の温度及び湿度を測定し（Ｓ１０５）、記憶部５２から適切な近似式を選択する（Ｓ１０６）。選択された近似式と測定値に基づいて、乾燥時間を演算し、表示部５４に乾燥時間を表示し（Ｓ１０７）、同時に、選択した感光剤の種類、測定した温度及び湿度（乾燥条件）も表示する。
【００１４】
演算部５１は、表示部５４に表示された乾燥時間及び乾燥条件に訂正がある場合は（Ｓ１０８、Ｙｅｓ）、感光剤の種類の選択（Ｓ１０４）へ戻り、再度、作業者の入力を待つ。表示部５４の表示内容に訂正がない場合は（Ｓ１０８、Ｎｏ）、乾燥開始の指示待ちを表示し（Ｓ１０９）、操作部５３から乾燥開始の指示が入力されたら、乾燥機は乾燥作業を開始する。
乾燥作業が演算した乾燥時間に達したときに、演算部５１は、表示部５４に乾燥終了を表示し（Ｓ１１０）、乾燥作業が終了となる（Ｓ１１１）。この乾燥時間の管理により、乾燥機１０は、版６０の感光剤の乾燥時間を効率よく管理することができ、また、乾燥毎に版６０を均一した仕上がりにすることができる。
【００１５】
次に、制御器５０の記憶部５２の乾燥時間の近似式の求め方について説明する。図３は、実施例１の乾燥機に用いる近似式の一例を示す図である。なお、図３の縦軸は、版６０の感光剤の乾燥時間［分］であり、横軸は乾燥室内の相対湿度［％］である。
記憶部５２に保存されている近似式は、図３に示すように、実測値に基づいて求められる。図３に示す実測値は、乾燥室２０内の温度２４℃一定の環境下における相対湿度変化に対する版６０の感光剤の乾燥時間を示しており、相対湿度と乾燥時間との関係が比例に近いため、近似式は実測値を線形近似している。例えば、図３の近似式によれば、相対湿度が５０％のときの乾燥時間は２９分となる。
【００１６】
記憶部５２は、上述した図３のような測定データを、例えば、感光剤の種類毎に、温度範囲１９〜２９℃の０．５℃刻みにおける、湿度と乾燥時間との近似式を複数備えて記憶部５２に保存し、演算部５１は、感光剤の種類と温度センサ３０及び湿度センサ４０の測定値とに基づいて、適切な近似式を記憶部５２から選択して乾燥時間を演算することができる。
【００１７】
以上より、実施例１の乾燥機１０には以下のような効果がある。
（１）乾燥機１０は、温度センサ３０及び湿度センサ４０の出力値に基づいて、演算部５１により乾燥時間を演算しているので、感光剤を塗布した版６０の仕上がりを均一に保つことができる。
（２）演算部５１は、予め測定した版６０に塗布された前記感光剤の乾燥時間と乾燥室２０の温度及び湿度との関係の近似式により、乾燥時間を演算しているので、精度の高い乾燥時間を求めることができる。
（３）制御器５０は、記憶部５２を備えているので、複数の近似式のデータを保存することができ、感光剤の種類と温度センサ３０及び湿度センサ４０の測定値とに基づいて、適切な近似式を使用することができる。
【００１８】
（変形例）
以上説明した実施例に限定されることなく、種々の変形や変更が可能であって、それらも本発明の均等の範囲内である。
（１）実施例１では、図３に示す実測値は、線形に近似されたが、データの内容により曲線などに近似してもよい。例えば、湿度が大きくなるにつれて、乾燥時間が極大になるときなどは、２次曲線に近似することも可能である。
（２）実施例１では、感光剤の種類毎に、温度範囲１９〜２９℃の０．５℃刻みにおける、湿度と乾燥時間との近似式を用いたが、それ以外の温度範囲、湿度範囲、温度刻み及び湿度刻みにより近似式を作成してもよい。
【図面の簡単な説明】
【００１９】
【図１】本発明による実施例１の乾燥機を示す模式図である。
【図２】本発明による実施例１の乾燥機の演算部の動作のフローチャートである。
【図３】本発明による実施例１の乾燥機に用いる近似式の一例を示す図である。
【符号の説明】
【００２０】
１０  乾燥機
２０  乾燥室
３０  温度センサ
４０  湿度センサ
５０  制御器
５１  演算部
５２  記憶部
６０  版
【図１】
2007255823.tif 000003
【図２】
2007255823.tif 000004
【図３】
2007255823.tif 000005